(57)【特許請求の範囲】
【請求項１】
人の通過を阻止すべき場所の一側部に位置する壁または支柱に、長尺可撓性部材を導出可能に収納する収納部を設ける一方、上記場所の他側部に位置する壁または支柱に、上記長尺可撓性部材の先端部を着脱可能に係止する係止部を設け、上記長尺可撓性部材が上記収納部から所定量導出されてその先端部が上記係止部に係止されたセット状態で上記長尺可撓性部材が人の通過を阻止する機能を発揮するバリケードにおいて、
上記長尺可撓性部材の先端部の上記係止部に対する係合、離脱を検出する第１の検出手段と、
上記セット状態において収納部の近傍の位置で上記長尺可撓性部材に着脱可能に取付けられる被検出部材と、
この被検出部材の動きを検出する第２の検出手段と、
上記両検出手段からの信号に応じ、上記セット状態とされた後に上記長尺可撓性部材の先端部が上記係止部から離脱したことの検出、及び上記被検出部材が動いたことの検出の少なくとも一方があったときに通報を行う通報手段とを備えたことを特徴とするセンサ機能付きバリケード。
【請求項２】
上記長尺可撓性部材は上記収納部から略水平に引出し可能なベルトであり、上記収納部には上記ベルトを巻取り可能に保持するベルト保持部と、上記ベルトを巻取り方向に付勢する付勢手段とが設けられていることを特徴とする請求項１記載のセンサ機能付きバリケード。
【請求項３】
上記通報手段は発光体及び発音体の少なくとも一方からなる警報手段を作動するものであることを特徴とする請求項１または２記載のセンサ機能付きバリケード。
【発明の詳細な説明】
【０００１】
【発明の属する技術分野】
本発明は、ベルト等の長尺可撓性部材を支柱間等に掛け渡したセット状態で人の通過を阻止する機能を発揮するバリケードに関するものであり、とくに不正に長尺可撓性部材が外されたり動かされたりすることを防止するためのセンサ機能付きバリケードに関するものである。
【０００２】
【従来の技術】
人の出入りが激しい集客施設の表裏は、壁やドアー、通路等で外部と隔てられているだけで、通常は誰でも簡単に内部に入り込むことができるが、時間帯等により当該施設若しくはその一部の区域への立入りや進入を禁止することが必要となる場合がある。
【０００３】
このような場合に、立入りや進入を禁止する区域の出入り口部分に職員やガードマンを配備して管理が行われているケースが多いが、長時間の管理の場合、人員の交代やローテーション等が煩雑であるとともに、人件費が高くつく。
【０００４】
上記立入禁止区域の出入り口部分のように人の通行を阻止すべき場所に、ベルト等の長尺可撓性部材を用いたバリケードを設置することは従来においても行われている。この種のバリケードとしては、人の通過を阻止すべき場所の一側部に位置する壁または支柱に、長尺可撓性部材を導出可能に収納する収納部を設ける一方、上記場所の他側部に位置する壁または支柱に、上記長尺可撓性部材の先端部を着脱可能に係止する係止部を設け、上記長尺可撓性部材が上記収納部から所定量導出されてその先端部が上記係止部に係止されたセット状態で上記長尺可撓性部材が人の通過を阻止する機能を発揮するようにしたものが知られている。
【０００５】
【発明が解決しようとする課題】
ところで、上記バリケードを設けてこれをセット状態としておいても、これだけでは、立入禁止区域等へ不正に進入を企てるものが上記ベルト等の先端部を係止部から外したり長尺可撓性部材を弛ませる等してこの部分を通過してしまった場合に、これを察知することができない。したがって、従来では上記バリケードを設置する場合でも、不正な進入の防止のためにはさらに職員やガードマンの配備が必要であった。
【０００６】
本発明は、上記の事情に鑑み、人の通過を阻止するようにセットされた状態から不正に長尺可撓性部材が外されたり動かされたりした場合にこれを検出して通報することにより、不正に立入禁止区域等へ進入しようとするような行為を防止することができるセンサ機能付きバリケードを提供することを目的とする。
【０００７】
【課題を解決するための手段】
上記目的を達成するために、本発明は、人の通過を阻止すべき場所の一側部に位置する壁または支柱に、長尺可撓性部材を導出可能に収納する収納部を設ける一方、上記場所の他側部に位置する壁または支柱に、上記長尺可撓性部材の先端部を着脱可能に係止する係止部を設け、上記長尺可撓性部材が上記収納部から所定量導出されてその先端部が上記係止部に係止されたセット状態で上記長尺可撓性部材が人の通過を阻止する機能を発揮するバリケードにおいて、上記長尺可撓性部材の先端部の上記係止部に対する係合、離脱を検出する第１の検出手段と、上記セット状態において収納部の近傍の位置で上記長尺可撓性部材に着脱可能に取付けられる被検出部材と、この被検出部材の動きを検出する第２の検出手段と、上記両検出手段からの信号に応じ、上記セット状態とされた後に上記長尺可撓性部材の先端部が上記係止部から離脱したことの検出、及び上記被検出部材が動いたことの検出の少なくとも一方があったときに通報を行う通報手段とを備えたものである。
【０００８】
このようにすると、当該バリケードが設置された場所を通って立入り禁止区域等に進入を企てようとする者が上記ベルトの先端を係止部から外した場合や、係止部にベルト先端が係止されたままでもベルトをくぐったり乗り越えたりすべくベルトを動かした場合は、これが第１の検出手段または第２の検出手段により検出され、それに応じて通報手段による通報が行われるため、進入の防止が可能となる。
【０００９】
この発明において、例えば上記長尺可撓性部材は上記収納部から略水平に引出し可能なベルトであり、上記収納部には上記ベルトを巻取り可能に保持するベルト保持部と、上記ベルトを巻取り方向に付勢する付勢手段とが設けられている。
【００１０】
上記通報手段は発光体及び発音体の少なくとも一方からなる警報手段を作動するものであることが好ましい。
【００１１】
【発明の実施の形態】
本発明の実施の形態を図面に基づいて説明する。
【００１２】
図１は人の通過を阻止すべき場所に設置したセンサ機能付きバリケードの概略正面図、図２は要部の拡大斜視図である。これらの図に示すように、人の通過を阻止すべき場所、例えば立入り禁止区域の出入り口部分において、その一側部に位置する壁１Ａには、長尺可撓性部材としてのベルト３を導出可能に収納する収納部２が設けられている。また、人の通過を阻止すべき場所の他側部に位置する壁１Ｂには、上記ベルト３の先端部を着脱可能に係止する係止部４が設けられている。
【００１３】
上記収納部２は、壁１Ａに取付けられたケーシング２ａ内に、ベルト３を巻取り可能に保持するベルト保持部２ｂと、ベルト３を巻取り方向に付勢するバネ等の付勢手段（図示せず）とを備えており、ケーシング２ａの側面にはベルト導出口２ｃが設けられ、このベルト導出口２ｃから略水平方向にベルト３が導出されている。
【００１４】
上記ベルト３の先端部には、金属若しくはプラスチック等の硬質素材によりプレート状等に形成された被係止部３ａが固着されている。これに対して上記係止部４は被係止部３ａを係脱可能とし、例えば被係止部３ａを上方から係脱し得るような係止溝４ａを有し、硬質素材により形成されて、壁１Ｂに固着されている。そして、上記ベルト３が収納部２から所定量導出されてその先端の被係止部３ａが係止部４に係止されたセット状態（図１に示す状態）で、ベルト３が人の通過を阻止する機能を発揮するようになっている。
【００１５】
さらに係止部４には、これに対する被係止部３ａの係合、離脱を検出する第１センサ５（第１の検出手段）が設けられている。この第１センサ５の種類は特に限定されないが、例えば磁気センサが用いられ、この場合、上記被係止部３ａには永久磁石からなる被検出部６が設けられる。
【００１６】
上記ベルト３には、上記セット状態において収納部２の近傍の位置に、被検出部材７がクリップ７ａ等で着脱可能に取付けられ、この被検出部材７の動きを検出する第２センサ８（第２の検出手段）が収納部２側に設けられている。この第２センサ８の種類は特に限定されないが、例えば磁気センサが用いられ、この場合、被検出部材７としては永久磁石が用いられる。そして、図示の例では、第２センサ８が収納部２の下方部においてケーシング２ａの側面に設けられるとともに、被検出部材７はベルト３に対して下方に垂下する状態に取付けられて、第２センサ８に対向するようになっている。
【００１７】
収納部２の下方部のケーシング２ａ内には後記制御回路１３及び電源１４（図３参照）を含む制御ユニット９が内蔵され、この制御ユニット９に第１センサ５及び第２センサ８が電気的に接続されている。さらに、警報手段としての発光体１０及び発音体１１がケーシング２ａに組み付けられている。上記発光体１０は例えば赤色ＬＥＤ等の発光素子からなり、また、上記発音体１１は例えば圧電スピーカからなっている。
【００１８】
図３は本実施形態のセンサ機能付きバリケードのブロック構成を示している。この図において、１３はＣＰＵ等で構成された制御回路であって、上記両センサ５，８からの信号に応じて所定時に警報手段を作動することにより通報を行う通報手段を構成するものである。この制御回路１３は、例えば内蔵電池、太陽電池等の電源１４に接続され、第１，第２の各センサ５，８に所定の駆動電力を供給するとともに、各センサ５，８からの出力信号を常時監視している。また、発光体１０及び発音体１１と制御回路１３との間にはスイッチ１５，１６が設けられており、必要に応じて発光体１０及び発音体１１の作動を停止可能とし、選択的にいずれか一方のみを使用することもできるようになっている。さらに、制御回路１３に接続されたメインスイッチ１２により、センサ５，８による検出そのものを停止することができるようになっている。
【００１９】
なお、上記スイッチ１５，１６は特定の管理者等により操作されるもので、外部から自由に操作できない場所に設けておくことが望ましく、例えば制御回路１３とともにケーシング２ａの内部に設けておけばよい。また、メインスイッチ１２は外部から見つかりにくい場所、例えばケーシング２ａの下面等に設けておけばよい。
【００２０】
本実施形態のセンサ機能付きバリケードの動作を、図４のフローチャートによって説明する。電源スイッチをオンすると、制御回路１３は全ての設定をリセットし（ステップＳ１）、第１，第２の両センサ５，８がオンするのを待つ（ステップＳ２）。ベルト３が上記セット状態とされるとともに被検出部材７がベルト３に取付けられて、バリケードが正常な使用状態にあるときは、両センサ５，８がオンとなる。
【００２１】
次に制御回路１３は、第１センサ５がオフとなったか否かを判定し（ステップＳ３）その判定がＮＯであれば、第２センサ８がオフとなったか否かを判定する（ステップＳ４）。ここで、ベルト３の先端の被係止部３ａが係止部４から外されると第１センサ５がオフとなり、また、ベルト３に取付けられた被検出部材７が動かされると第２センサ８がオフとなる。
【００２２】
これらの判定に基づき、第１，第２センサ５，８の少なくとも一方がオフとなると、制御回路１３は、発光体１０及び発音体１１に対してそれぞれ所定の信号を出力し、警報を発生する（ステップＳ５）。
【００２３】
警報が発生された後、制御回路１３は、上記両センサ５，８が再度オンとなったか否かを判定し（ステップＳ６）、再度オンとなった場合には警報を停止し（ステップＳ７）、ステップＳ１に戻って全ての設定をリセットする。一方、ステップＳ６で両センサ５，８が再度オンとなっていない場合、制御回路７はメインスイッチ１２がオフとなったか否かを判定し、オフとなっていない場合はステップＳ５に戻って警報を継続する。また、メインスイッチ１２がオフされた場合、警報を停止し、このフローを終了する。
【００２４】
以上のような当実施形態のセンサ機能付きバリケードによると、これが設置されている立入り禁止区域等に進入しようとする者がベルト３の先端の被係止部３ａを係止部４から離脱させた場合は、第１センサ５がオフとなることにより、発光体１０及び発音体１１が作動する。また、被係止部３ａを係止部４に係止させたままで、例えばベルト３を引き上げてその下をくぐろうとしたり、ベルト３を押し下げてその上を乗り越えようとする等、ベルト３を動かした場合にも、それに伴う被検出部材７の動きに応じて第２センサ５がオフとなることにより、発光体１０及び発音体１１が作動する。
【００２５】
このように、当該センサ機能付きバリケードの構造、機能を熟知しない者が立入り禁止区域等への進入を図るべくベルト３を外したり動かしたりすれば確実に警報が発せられ、これにより進入者に監視されていることを認識させ、進入を断念させることができる。
【００２６】
なお、本発明のセンサ機能付きバリケードの具体的構成は上記実施形態に限定されず、種々変更可能である。
【００２７】
例えば、上記実施形態ではベルト３の先端部が係止部４から離脱したことの検出、及び被検出部材７が動いたことの検出の少なくとも一方があったときに、警報手段（発光体１０及び発音体１１）を作動させるようにしているが、これに替え、あるいはこれに加え、図３中に二点鎖線で示すように、管理室等に設けた集中制御部１７と制御回路１３とを無線または有線で通信可能とし、ベルト３の先端部が係止部４から離脱したことの検出、及び被検出部材７が動いたことの検出の少なくとも一方があったときにその情報を集中制御部１７に送って、集中制御部１７に設けた表示手段１８に表示させるようにしてもよい。特に、施設等の複数箇所に当該バリケードを設置するような場合に、このようにすることにより管理室で集中的に管理を行うことができ、進入者の位置を速やかに察知し、モニターでの追跡や人の派遣などの方策を取ることができる。
【００２８】
また、上記実施形態では長尺可撓性部材としてベルト３を用いているが、これに替えてチェーンまたはロープ等を用いてもよい。
【００２９】
また、上記実施形態では人の通過を阻止すべき場所の両側の壁１Ａ，１Ｂに収納部２及び係止部４を設けて、これらの間にベルト３（長尺可撓性部材）を掛け渡すようにしているが、人の通過を阻止すべき場所の両側に支柱を立設し、これらの支柱に収納部２及び係止部４を配設してその間にベルト３（長尺可撓性部材）を掛け渡すようにしてもよい。さらに、所定間隔置きに３本以上の支柱を立設し、その各間にベルト３（長尺可撓性部材）を掛け渡し得るように収納部２及び係止部４を配設してもよい。
【００３０】
第１，第２センサ５，８としては、上記磁気センサのほかに、発光素子及び受光素子からなる光学的センサや、リミットスイッチ等の機械的センサ等も採用可能である。
【００３１】
【発明の効果】
以上のように本発明は、人の通過を阻止すべき場所の一側部の壁または支柱に設けられた収納部から所定量導出された長尺可撓性部材の先端部が上記場所の他側部の壁または支柱に設けられた係止部に係止されたセット状態で人の通過を阻止する機能を発揮するバリケードにおいて、上記セット状態とされた後に上記長尺可撓性部材の先端部が上記係止部から離脱したことを第１の検出手段で検出した場合や、収納部の近傍の位置で長尺可撓性部材に着脱可能に取付けられた被検出部材が動いたことを第２の検出手段で検出しだ場合に、通報を行うようにしているため、当該バリケードが設置された場所を通って立入り禁止区域等に進入を企てようとする者が上記ベルトの先端を係止部から外した場合や、ベルトをくぐったり乗り越えたりすべくベルトを動かした場合に、確実にこれを検出して通報することができる。従って、禁止区域等への進入を監視することができ、また警報を発する等により禁止区域等への進入を断念させることができる。
【００３２】
そして、このように人の通過を阻止すべき場所に設置されるバリケードに検出、通報機能をもたせることにより、かかる場所への人員の配備を無くし、若しくは少なくすることができ、人件費を節減することができる。
【図面の簡単な説明】
【図１】本発明の一実施形態によるセンサ機能付きバリケードを人の通過を阻止すべき場所に設置した状態の概略正面図である。
【図２】上記センサ機能付きバリケードの要部の拡大斜視図である。
【図３】上記センサ機能付きバリケードのブロック構成を示す図である。
【図４】上記センサ機能付きバリケードの動作を示すフローチャートである。
【符号の説明】
１Ａ，１Ｂ  壁
２  収納部
３  ベルト（長尺可撓性部材）
４  係止部
５  第１センサ（第１の検出手段）
６  被検出部
７  被検出部材
８  第２センサ（第２の検出手段）
９  制御ユニット
１０  発光体
１１  発音体
【図１】
0004398604.tif 000002
【図２】
0004398604.tif 000003
【図３】
0004398604.tif 000004
【図４】
0004398604.tif 000005